(57)【要約】【課題】展示物個別の説明内容の変更を容易にし、展示物の説明内容の説明データを受信機に持たせずに小型化を図る。【解決手段】案内解説データ送信機で、解説データ設定手段により展示物の展示解説に関する音声データを、各展示物に応じて設定する。変調手段は、解説データ設定手段からの解説データにより変調する。発光手段は被変調波に応じた光を発射する。案内データ受信機は、利用者が携帯する。光電変換手段は発光手段から光を受信し、電気信号に変換する。解説データ蓄積手段は受信した解説データを蓄積する。復調手段は、解説データを復調する。音声変換手段は、解説データにより音声を発生する。又は、復調後、解説データ蓄積手段に蓄積し、音声変換手段で音声に変換する。利用者は展示解説が聞ける。表示手段の画像又は音声表示により、展示項目を知れ、その展示解説を聞くかどうかを決める。【選択図】  図１
2005006046.tif 000002
【特許請求の範囲】
【請求項１】
展示内容に関する音声の解説データを設定する解説データ設定手段と、その設定した解説データに応じて所定の搬送波を変化させる変調手段と、その変調手段で変調された被変調波に応じた光を発射する発光手段とを備えた案内解説データ送信機と、
前記案内解説データ送信機からの解説データによる光を受けるとともにその受光に応じた電気信号に変換する光電変換手段と、前記解説データを蓄積する解説データ蓄積手段と、前記解説データ蓄積手段から読み出した解説データを音声データに復調する復調手段と、前記復調手段により復調された音声データによる解説データを音声信号に変換する音声変換手段とを備えた案内データ受信機と
を備えてなることを特徴とする展示案内システム。
【請求項２】
展示内容に関する音声の解説データを設定する解説データ設定手段と、その設定した解説データに応じて所定の搬送波を変化させる変調手段と、その変調手段で変調された被変調波に応じた光を発射する発光手段とを備えた案内解説データ送信機と、
前記案内解説データ送信機からの解説データによる光を受けるとともにその受光に応じた電気信号に変換する光電変換手段と、前記解説データを音声データに復調する復調手段と、前記復調した音声データによる解説データを蓄積する解説データ蓄積手段と、前記解説データ蓄積手段より読み出された音声データによる解説データを音声信号に変換する音声変換手段とを備えた案内データ受信機と
を備えてなることを特徴とする展示案内システム。
【請求項３】
案内解説データ送信機に、展示案内の項目を表示する手段と、展示内容に関する音声の解説データを設定する解説データ設定手段と、その設定した解説データに応じて所定の搬送波を変化させる変調手段と、その変調手段で変調された被変調波に応じた光を発射する発光手段とを備えたことを特徴とする請求項１又は２のいずれかに記載の展示案内システム。
【請求項４】
表示する手段が画像表示手段であることを特徴とする請求項３記載の展示案内システム。
【請求項５】
表示する手段が音声表示手段であることを特徴とする請求項３記載の展示案内システム。
【発明の詳細な説明】
【０００１】
【産業上の利用分野】
この発明は、博物館、美術館や商店等における展示物の案内に用いる展示案内システムに関するものである。
【０００２】
【従来の技術】
従来、博物館や美術館あるいは百貨店の催事場における展示案内は、次のようなものであった。その１つは、利用者に音声案内装置を提供し、利用者は、例えば展示物に付した番号を確認し、音声案内装置を操作して、展示物番号を選択して、音声案内装置に内蔵した録音装置から予め録音してあるその展示物の展示説明の音声を読み出し、聞き取るもの、あるいは、他の１つは、利用者に音声案内受信機を提供し、利用者が、音声案内受信機を展示物に備える案内発信機に向けると、その案内発信機が送信する展示物に固有の解読コードを受信し、その解読コードにより、音声案内受信機に内蔵した録音装置から予め録音してあるその展示物の展示説明の音声を読み出し（図２参照）、聞き取らせるものであった。
【０００３】
【発明が解決しようとする課題】
しかし、前者の音声案内装置を用いる場合は、利用者に展示物番号を選択操作させ必要があり、不慣れな利用者にとっては扱い難いものであった。また、後者の音声案内受信機を用いる場合は、利用者は展示物の方向の音声案内発信機に向けるのみで説明を聞けるものの、音声案内受信機にその会場の展示物全ての説明内容を録音装置に予め録音しておかなければならず、そのための受信機に備えるデータ量が多くなり、不経済なものとなり、説明内容の変更も容易なものでなかった。この点は、前者の音声案内受信機を用いる場合も同様である。
【０００４】
本発明は上記問題点を鑑みてなされたものであり、展示物に関する個別の説明内容の変更が容易であり、展示物の説明内容を聞くことが出来る説明データを受信機に持たせずに小型化を図ることができる展示案内システムを提供することを目的とする。
【０００５】
【課題を解決するための手段】
上記課題を解決するため請求項１に係る展示案内システムは、展示内容に関する音声の解説データを設定する解説データ設定手段と、その設定した解説データに応じて所定の搬送波を変化させる変調手段と、その変調手段で変調された被変調波に応じた光を発射する発光手段とを備えた案内解説データ送信機と、前記案内解説データ送信機からの解説データによる光を受けるとともにその受光に応じた電気信号に変換する光電変換手段と、前記解説データを蓄積する解説データ蓄積手段と、前記解説データ蓄積手段から読み出した解説データを音声データに復調する復調手段と、前記復調手段により復調された音声データによる解説データを音声信号に変換する音声変換手段とを備えた案内データ受信機とを備えてなるものである。
【０００６】
請求項２に係る展示案内システムは、展示内容に関する音声の解説データを設定する解説データ設定手段と、その設定した解説データに応じて所定の搬送波を変化させる変調手段と、その変調手段で変調された被変調波に応じた光を発射する発光手段とを備えた案内解説データ送信機と、前記案内解説データ送信機からの解説データによる光を受けるとともにその受光に応じた電気信号に変換する光電変換手段と、前記解説データを音声データに復調する復調手段と、前記復調した音声データによる解説データを蓄積する解説データ蓄積手段と、前記解説データ蓄積手段より読み出された音声データによる解説データを音声信号に変換する音声変換手段とを備えた案内データ受信機とを備えてなるものである。
【０００７】
請求項３に係る展示案内システムは、請求項１又は２のいずれか記載のものにおいて、案内解説データ送信機が、展示案内の項目を表示する手段を追加的に有するものである。
【０００８】
請求項４に係る展示案内システムは、請求項３記載のものにおいて、表示する手段が画像表示手段である。
【０００９】
請求項５に係る展示案内システムは、請求項３記載のものにおいて、表示する手段が音声表示手段である。
【００１０】
【作用】
請求項１に係る展示案内システムは、次のように作用する。案内解説データ送信機は展示物近傍に設置される。案内解説データ送信機では、解説データ設定手段により展示物の展示解説に関する音声データを、各展示物に応じて設定される。変調手段は、解説データ設定手段から読み出した解説データに応じて所定の搬送波を変化させる。発光手段は前記変調手段により変調された被変調波に応じた光を特定方向に向けて発射する。案内データ受信機は、利用者が携帯する。案内データ受信機の光電変換手段は指向性を有し、案内解説データ送信機の発光手段からの光を受信すると、その受けた光に応じた電気信号に変換する。解説データ蓄積手段は光電変換された電気信号による解説データを蓄積する。復調手段は、解説データ蓄積手段より解説データを読み出し、音声データに復調する。音声変換手段は、復調手段で復調した音声データによる解説データにより音声を発生する。案内データ受信機が展示物近傍にある案内解説データ送信機の発光手段の光を受信できる範囲にあり、光電変換手段の向きが発光手段の光を受信できる方向に向いているときは、利用者は当該展示物についての解説データを受信してこれを解説データ蓄積手段に蓄積することができ、解説データを受信した後は、案内データ受信機が案内解説データ送信機の発光手段の光を受信できる範囲から出ても、また、光電変換手段の向きが発光手段の光を受信できる方向からずれていても、解説データ蓄積手段から解説データを読み出し復調して、案内解説を聞くことが出来る。
【００１１】
請求項２に係る展示案内システムは、次のように作用する。案内解説データ送信機は展示物近傍に設置される。案内解説データ送信機では、解説データ設定手段により展示物の展示解説に関する音声データを、各展示物に応じて設定される。変調手段は、解説データ設定手段から読み出した解説データに応じて所定の搬送波を変化させる。発光手段は前記変調手段により変調された被変調波に応じた光を特定方向に向けて発射する。案内データ受信機は、利用者が携帯する。案内データ受信機の光電変換手段は指向性を有し、案内解説データ送信機の発光手段からの光を受信すると、その受けた光に応じた電気信号に変換する。復調手段は、光電変換された電気信号による解説データを音声データに復調する。解説データ蓄積手段は、復調手段で復調された音声データによる解説データを蓄積する。音声変換手段は、解説データ蓄積手段より読み出された音声データによる解説データを音声信号に変換する。案内データ受信機が展示物近傍にある案内解説データ送信機の発光手段の光を受信できる範囲にあり、光電変換手段の向きが発光手段の光を受信できる方向に向いているときは、利用者は当該展示物についての解説データを受信し、復調されたデータを解説データ蓄積手段に蓄積することができ、解説データを受信し蓄積した後は、案内データ受信機が案内解説データ送信機の発光手段の光を受信できる範囲から出ても、また、光電変換手段の向きが発光手段の光を受信できる方向からずれていても、解説データ蓄積手段から解説データを読み出し音声信号に変換して、案内解説を聞くことが出来る。
【００１２】
請求項３に係る展示案内システムは、請求項１又は２の作用に加えて、次のように作用する。利用者は、表示手段の表示により、展示項目を知ることが出来、その展示解説を聞くかどうかを判断することが出来る。このとき、表示手段が、請求項４のように、画像表示であれば、それを読んで項目を判断し、請求項５のように音声表示であれば、それを聞いて項目を判断することが出来る。
【００１３】
【実施例】
以下、本発明の一実施例について図を参照して説明する。図１（ａ）は一実施例を説明する機能ブロック図である。図１において、１０１は博物館や美術館、百貨店を含む商店等における展示物の近傍に設置される案内解説データ送信機、１０２は利用者が携帯する案内データ受信機である。案内解説データ送信機１０１は、以下のものからなる。ＲＯＭ又は／及びＲＡＭにより構成し、展示内容に関する音声の解説データを設定する解説データ設定手段１０１１、前記解説データ設定手段１０１１で設定した解説データに応じて所定の搬送波を変化させる変調手段１０１２、赤外線発光ダイオードで構成し、所定の方向に指向性を持たせ、前記変調手段１０１２で変調された被変調波に応じた光を発射する発光手段１０１３、ＲＯＭ又は／及びＲＡＭにより構成し、展示案内の項目例えば展示品の名称、題名、商品名等の文字データを設定する項目用文字データ設定手段１０１４、項目用文字データ設定手段１０１４に設定した項目用文字データにより展示項目を例えば液晶により文字として画像表示するための画像表示装置１０１５、ＲＯＭ又は／及びＲＡＭにより構成し、展示案内の項目を表す項目用音声データを設定する項目用音声データ設定手段１０１６、項目用音声データ設定手段１０１６に設定した項目用音声データを音声に変換して展示項目を音声表示するための項目用音声変換装置１０１７からなる。また、案内データ受信機１０２は以下のものからなる。フォトダイオードからなり特定方向に指向性を持たせ、発光手段１０１３からの赤外線を受光できるようにするとともにその受光に応じた電気信号に変換する光電変換手段１０２１、前記光電変換手段１０２１が変換した電気信号の解説データを蓄積する解説データ蓄積手段１０２２ａ、前記解説データ蓄積手段１０２２ａから読み出した解説データを音声データに復調する復調手段１０２３、復調された解説データを音声信号に変換する音声変換手段１０２４からなる。
【００１４】
案内解説データ送信機１０１が博物館のある１つの展示物の近傍に設置された場合、項目用文字データ設定手段１０１４に「展示番号××  名称○○」等の文字データを設定記録しておき、画像表示装置１０１５により読み出した文字データにより「展示番号××  名称○○」等の文字表示をする。また、項目用音声データ設定手段１０１６に「展示番号××  名称○○」等の音声データを設定記録しておき、項目用音声変換装置１０１７により読み出した音声データにより「展示番号××  名称○○」等の音声表示をする。
【００１５】
音声データ設定手段１０１１は、例えば「この作品は、…により制作され…」や「この商品○○は、…地方特有の○○を用いて、…の方法により…され」のような展示内容に関する音声の解説データが設定される。発光手段１０１３は、解説データ（展示物解説）の光を特定方向に所定の広がりを持たせて所定の領域に向けて発射するように、赤外線発光ダイオードを配置する。
【００１６】
利用者が博物館のある１つの展示物の前に来て、発光手段１０１３の光（光ビーム）の発射領域に入るとともに、前記画像表示装置１０１５の文字表示または項目用音声変換装置１０１７の音声表示により展示項目を知ることが出来る。利用者が、展示項目を知って、展示内容の解説を聞こうとするときは、案内データ受信機１０２を振り、光電変換手段１０２１がその指向性により受光できる方向に向ける。光電変換手段１０２１は、案内解説データ送信機１０１の発光手段１０１３からの解説データをのせた光を受け、その光に応じた電気信号に変換される。光電変換手段１０２１の出力が一定レベル以上であると、解説データ蓄積手段１０２２ａは、解説データを蓄積する。復調手段１０２３は、解説データ蓄積手段１０２２ａから解説データを読み出し音声データに復調する（図３参照）。音声変換手段１０２４は復調された音声データによる解説データを音声信号に変換する。利用者はその音声、例えば、「この絵は、○○○○の筆になるものです。作者○○○○は、…に生まれました。この絵は、○○が××年（１８…）４月に制作して…。」等の解説を聞き、展示物の理解を深めることが出来る。利用者が、案内データ受信機の向きを変えて、その展示物の発光手段１０１３の光（光ビーム）の発射方向からずれても、また光の発射領域から出ても、解説データ蓄積手段１０２２ａから解説データを必要な回数だけ繰り返して読み出し復調して、解説の音声を聞くことができる。
【００１７】
さらに進んで利用者がその展示物から離れて、隣の展示物に近づき、先述と同様に当該展示物の案内解説データ送信機１０１の発光手段１０１３の発射領域に入るとともに、前記画像表示装置１０１５の文字表示または項目用音声変換装置１０１７の音声表示により展示項目を知ることが出来、さらに展示解説データを受信し書き替え蓄積し、復調して聞くことが出来る。
【００１８】
図１（ｂ）は、本発明の他の実施例であり、図１（ａ）とは、異なる案内データ受信機１０２１ｂの部分を示す。案内データ受信機１０２１ｂは以下のものからなる。フォトダイオードからなり特定方向に指向性を持たせ、発光手段１０１３からの赤外線を受光できるようにするとともにその受光に応じた電気信号に変換する光電変換手段１０２１、前記光電変換手段１０２１が変換した電気信号の解説データを音声データに復調する復調手段１０２３、前記復調手段１０２３により復調した音声データによる解説データを蓄積する解説データ蓄積手段１０２２ｂ、前記解説データ蓄積手段１０２２ｂから読み出された解説データを音声信号に変換する音声変換手段１０２４からなる。
【００１９】
このように構成した案内データ受信機１０２１ａにより、解説データを前述と同様に聞くことができる。すなわち、利用者が博物館のある１つの展示物の前に来て、発光手段１０１３の光（光ビーム）の発射領域に入るとともに、前記画像表示装置１０１５の文字表示または項目用音声変換装置１０１７の音声表示により展示項目を知ることが出来る。利用者が、展示項目を知って、展示内容の解説を聞こうとするときは、案内データ受信機１０２を振り、光電変換手段１０２１がその指向性により受光できる方向に向ける。光電変換手段１０２１は、案内解説データ送信機１０１の発光手段１０１３からの解説データをのせた光を受け、その光に応じた電気信号に変換される。光電変換手段１０２１の出力が一定レベル以上であると、復調手段１０２３は解説データを音声信号に復調する。解説データ蓄積手段１０２２ｂは、復調された音声データによる解説データを蓄積する。音声変換手段１０２４は解説データ蓄積手段１０２２ｂから読み出された音声データによる解説データを音声信号に変換する。利用者はその音声、例えば、「この絵は、○○○○の筆になるものです。作者○○○○は、…に生まれました。この絵は、○○が××年（１８…）４月に制作して…。」等の解説を聞き、展示物の理解を深めることが出来る。利用者が、案内データ受信機の向きを変えて、その展示物の発光手段１０１３の光（光ビーム）の発射方向からずれても、また光の発射領域から出ても、解説データ蓄積手段１０２２ｂから解説データを必要な回数だけ繰り返して読み出し音声変換して、解説の音声を聞くことができる。
【００２０】
上述した例では、画像表示手段である項目用文字データ設定手段、画像表示装置１０１５と、音声表示手段である項目用音声データ設定手段１０１６、項目用音声変換装置１０１７とを１つの案内解説データ送信機１０１に同時に備えるようにしたものを説明したが、これら画像表示手段と音声表示手段とのいずれか一方を備えるようにしても良く、または、いずれも備えることなく、他の手段例えば、展示物の近傍に項目を紙に表示させても良い。また、展示物の解説ばかりでなく、いろいろな案内施設にも使用できる。
【００２１】
【発明の効果】
以上説明したように本発明によれば、展示物に関する個別の説明を利用者が携帯する案内データ受信機にあらかじめ記録することなく、展示物に設置する案内解説データ送信機に設定することで、一部の展示替えなどにおいてその展示物に設置する案内解説データ送信機の展示解説データのみの設定を変えることだけで対処することが出来、変更が容易に行うことが出来る。案内データ受信機毎に展示解説データを記録する必要が無く、そのため小型軽量化を図ることができる。また、案内データ受信機に解説データを予め記録しておく必要がないから、特定建物内の展示物の説明だけに限らず、他の展示場又は他の建物等のあらゆる場所において設置される案内解説データ送信機から解説データを受信し、蓄積し読み出し再生することにより解説音声を聞くことができる。
【図面の簡単な説明】
【図１】本発明の一実施例の機能ブロック図である。
【図２】従来の展示説明の聴取を説明する図である。
【図３】本発明による展示説明の聴取を説明する図である。
【符号の説明】
１０１…案内解説データ送信機、１０２…案内データ受信機、１０１１…解説データ設定手段、１０１２…変調手段、１０１３…発光手段、１０１４…項目用文字データ設定手段、１０１５…画像表示装置、１０１６…項目用音声データ設定手段、１０１７…項目用音声変換装置、１０２１…光電変換手段、１０２２ａ，１０２２ｂ…解説データ蓄積手段、１０２３…復調手段、１０２４…音声変換手段。
【図１】
2005006046.tif 000003
【図２】
2005006046.tif 000004
【図３】
2005006046.tif 000005